(57)【要約】【課題】バイブレータ本体による締固めの状況を視覚的且つ定量的に把握し、効率よくコンクリートの締固め作業を行えるようにするコンクリート締固め作業用視覚補助装置及び締固め方法の提供。【解決手段】コンクリート締固め作業用視覚補助装置２は、バイブレータ本体の位置情報及びヘッドマウントディスプレイの位置情報に基づいてバイブレータ本体の拡張現実画像Ｇ１を生成し、ヘッドマウントディスプレイに投影する画像処理手段とを備え、ヘッドマウントディスプレイを通して視認した実際のバイブレータ本体３やコンクリート８等の光景にバイブレータ本体の拡張現実画像Ｇ１が合成されるようにし、本来見ることができないコンクリート８内のバイブレータ本体３の状態を視覚的且つ定量的に把握できるようにしている。【選択図】図３
2019035265.tif 000002
【特許請求の範囲】
【請求項１】
バイブレータ本体を打設されたコンクリートに挿入し、前記バイブレータ本体の振動によってコンクリートを締め固める際に用いるコンクリート締固め作業用視覚補助装置であって、
前記バイブレータ本体の位置を検出するバイブレータ位置検出手段と、作業員が着用するヘッドマウントディスプレイと、該ヘッドマウントディスプレイの位置を検出するディスプレイ位置検出手段と、前記バイブレータ本体の位置情報及び前記ヘッドマウントディスプレイの位置情報に基づいてバイブレータ本体の拡張現実画像を生成し、前記ヘッドマウントディスプレイに投影する画像処理手段とを備え、前記ヘッドマウントディスプレイを通して視認した実際の光景に前記バイブレータ本体の拡張現実画像が合成されるようにしたことを特徴とするコンクリート締固め作業用視覚補助装置。
【請求項２】
前記ヘッドマウントディスプレイは、透過型ディスプレイを備えた請求項１に記載のコンクリート締固め作業用視覚補助装置。
【請求項３】
前記バイブレータ本体がコンクリート内に挿入されていることを検出する挿入検出手段と、前記バイブレータ本体がコンクリートに挿入されている時間を計測する締固め時間計測手段とを備え、
前記画像処理手段は、計測された前記バイブレータ本体がコンクリート内に挿入されている間の時間を表示する締固め時間表示画像を生成し、前記ヘッドマウントディスプレイに投影するようにした請求項１又は２に記載のコンクリート締固め作業用視覚補助装置。
【請求項４】
前記バイブレータ位置検出手段で検出されたバイブレータ本体の位置情報を記憶する記憶手段を備え、
前記画像処理手段は、前記記憶手段に記憶されたバイブレータ本体の位置情報に基づいて既に作業を終えた位置におけるバイブレータ本体の既視仮想現実画像を生成し、前記バイブレータ本体の既視仮想現実画像を前記バイブレータ本体の拡張現実画像とともに前記実際の光景に合成するようにした請求項1〜３の何れか一に記載のコンクリート締固め作業用視覚補助装置。
【請求項５】
前記画像処理手段は、コンクリート構造物に関する設計データを取得する設計データ取得部を備え、前記設計データに基づき設計データ拡張現実画像を生成し、前記バイブレータ本体の拡張現実画像とともに前記実際の光景に合成するようした請求項１〜４の何れか一に記載のコンクリート締固め作業用視覚補助装置。
【請求項６】
打設されたコンクリート内にバイブレータ本体を挿入し、前記コンクリートを締め固める締固め方法において、
作業員が着用したヘッドマウントディスプレイに、前記バイブレータ本体の位置情報及び前記ヘッドマウントディスプレイの位置情報に基づいて生成した前記バイブレータ本体の拡張現実画像を投影し、前記ヘッドマウントディスプレイを通して視認した実際の光景に前記バイブレータ本体の拡張現実画像を合成した合成画像を生成し、該合成画像に基づきコンクリートを締め固めることを特徴とする締固め方法。
【請求項７】
記憶されたバイブレータ本体の位置情報に基づいて生成した既に作業を終えた位置におけるバイブレータ本体の既視仮想現実画像を前記ヘッドマウントディスプレイに投影し、現在のバイブレータ本体の拡張現実画像とともに前記実際の光景に合成した合成画像を生成し、該合成画像に基づき前記バイブレータ本体をコンクリート内に挿入する請求項６に記載の締固め方法。
【請求項８】
コンクリート構造物に関する設計データに基づいて生成した前記設計データ拡張現実画像を前記ヘッドマウントディスプレイに投影し、前記バイブレータ本体の拡張現実画像とともに前記実際の光景に合成した合成画像を生成し、該合成画像に基づき前記バイブレータ本体をコンクリート内に挿入する請求項６又は７に記載の締固め方法。
【発明の詳細な説明】
【技術分野】
【０００１】
本発明は、コンクリート構造物の構築におけるコンクリート打設作業に用いるコンクリート締固め作業用視覚補助装置及び締固め方法に関する。
【背景技術】
【０００２】
コンクリート構造物の構築においては、型枠内にコンクリートを打設した後、打設されたコンクリートにバイブレータを挿入し、バイブレータの振動によってコンクリートを締め固める作業が行われている。
【０００３】
バイブレータは、振動体を有するバイブレータ本体と、バイブレータ本体に接続された動力伝達用ホースと、動力伝達ホースを通してバイブレータ本体に動力を供給する動力源とを備え、作業員が型枠上から目視しながらバイブレータ本体をコンクリートの所定の位置及び深さに挿入し、その位置で振動を加えるようになっている。
【０００４】
また、締固め作業は、所定の間隔をおいた複数個所にバイブレータを挿入し、位置を変えて繰り返し作業を行うようになっている。
【０００５】
一方、バイブレータによる締固め作業においては、バイブレータ本体がコンクリートに挿入されるため、挿入されたバイブレータ本体の位置及び深さを実際に目視で確認することができず、バイブレータの状態を正確に把握することが困難であった。
【０００６】
そこで、従来では、バイブレータ本体の位置を測定し、その測定データからコンクリート内のバイブレータ本体の位置及び深さを把握できるようにした装置も開発されている（例えば、特許文献１を参照）。
【０００７】
この装置は、バイブレータ本体の位置を測定した測定データを受信機で受信し、数値化された測定データを作業員が所持する表示機又は離れた位置にある表示装置に表示されるようになっている。
【先行技術文献】
【特許文献】
【０００８】
【特許文献１】特開２０１６−１２１４９９号公報
【発明の概要】
【発明が解決しようとする課題】
【０００９】
しかしながら、上述の如き従来の技術では、コンクリートに挿入されたバイブレータ本体の位置及び深さを作業員自身が視覚的に捉えることができず、数値化されたデータ等を所持する表示機に視線を移すことによって又は遠隔地からの伝達によってその都度確認しなければならないという問題があった。
【００１０】
特に、近年の構造物では、鉄筋が密に配置された場合や鉄筋以外の鋼材が配置され、その下側にもコンクリートが打設される場合等のように、狭隘な箇所でのコンクリートの締固めが必要となる場合も多く、このような狭隘な箇所にバイブレータが正確に挿入され、必要な締固めが行われているかが構造物の品質に影響することから、狭隘な箇所における作業時のバイブレータの状況を正確に把握することが求められている。
【００１１】
また、実際のコンクリートの打設作業現場は、一定の範囲内でコンクリートの打設作業、締固め作業、均し作業等の作業が複数の作業員によって同時進行で行われており、且つ、各作業に伴う騒音が生じているので、補助作業員等が計測した締固めの時間やバイブレータの位置情報等を作業員に伝達することが困難であった。従って、作業員自身が作業位置の測定データや締固め時間を確認しなければならないが、締固め作業と位置や時間の確認作業とを同時に行うことが困難であるという問題があった。
【００１２】
さらに、従来では、バイブレータの挿入位置を変える際、バイブレータをコンクリートから引き抜いた後に、既に締固めを終えた位置と新たに締固めを行う位置との位置関係を把握することが難しく、バイブレータの挿入間隔を一定に保つことが困難であった。
【００１３】
そこで、本発明は、このような従来の問題に鑑み、バイブレータによる締固めの状況を視覚的且つ定量的に把握し、効率よくコンクリートの締固め作業を行えるようにするコンクリート締固め作業用視覚補助装置及び締固め方法の提供を目的としてなされたものである。
【課題を解決するための手段】
【００１４】
上述の如き従来の問題を解決するための請求項1に記載の発明の特徴は、バイブレータ本体を打設されたコンクリートに挿入し、前記バイブレータ本体の振動によってコンクリートを締め固める際に用いるコンクリート締固め作業用視覚補助装置であって、前記バイブレータ本体の位置を検出するバイブレータ位置検出手段と、作業員が着用するヘッドマウントディスプレイと、該ヘッドマウントディスプレイの位置を検出するディスプレイ位置検出手段と、前記バイブレータ本体の位置情報及び前記ヘッドマウントディスプレイの位置情報に基づいてバイブレータ本体の拡張現実画像を生成し、前記ヘッドマウントディスプレイに投影する画像処理手段とを備え、前記ヘッドマウントディスプレイを通して視認した実際の光景に前記バイブレータ本体の拡張現実画像が合成されるようにしたことにある。
【００１５】
請求項２に記載の発明の特徴は、請求項１の構成に加え、前記ヘッドマウントディスプレイは、透過型ディスプレイを備えたことにある。
【００１６】
請求項３に記載の発明の特徴は、請求項1又は２の構成に加え、前記バイブレータ本体がコンクリート内に挿入されていることを検出する挿入検出手段と、前記バイブレータ本体がコンクリートに挿入されている時間を計測する締固め時間計測手段とを備え、前記画像処理手段は、計測された前記バイブレータ本体がコンクリート内に挿入されている間の時間を表示する締固め時間表示画像を生成し、前記ヘッドマウントディスプレイに投影するようにしたことにある。
【００１７】
請求項４に記載の発明の特徴は、請求項１〜３の何れか１の構成に加え、前記バイブレータ位置検出手段で検出されたバイブレータ本体の位置情報を記憶する記憶手段を備え、前記画像処理手段は、前記記憶手段に記憶されたバイブレータ本体の位置情報に基づいて既に作業を終えた位置におけるバイブレータ本体の既視仮想現実画像を生成し、前記バイブレータ本体の既視仮想現実画像を前記バイブレータ本体の拡張現実画像とともに前記実際の光景に合成するようにしたことにある。
【００１８】
請求項５に記載の発明の特徴は、請求項１〜４の何れか一の構成に加え、前記画像処理手段は、コンクリート構造物に関する設計データを取得する設計データ取得部を備え、前記設計データに基づき設計データ拡張現実画像を生成し、前記バイブレータ本体の拡張現実画像とともに前記実際の光景に合成するようしたことにある。
【００１９】
請求項６に記載の発明の特徴は、打設されたコンクリート内にバイブレータ本体を挿入し、前記コンクリートを締め固める締固め方法において、作業員が着用したヘッドマウントディスプレイに、前記バイブレータ本体の位置情報及び前記ヘッドマウントディスプレイの位置情報に基づいて生成した前記バイブレータ本体の拡張現実画像を投影し、前記ヘッドマウントディスプレイを通して視認した実際の光景に前記バイブレータ本体の拡張現実画像を合成した合成画像を生成し、該合成画像に基づきコンクリートを締め固めることにある。
【００２０】
請求項７に記載の発明の特徴は、請求項６の構成に加え、記憶されたバイブレータ本体の位置情報に基づいて生成した既に作業を終えた位置におけるバイブレータ本体の既視仮想現実画像を前記ヘッドマウントディスプレイに投影し、現在のバイブレータ本体の拡張現実画像とともに前記実際の光景に合成した合成画像を生成し、該合成画像に基づき前記バイブレータ本体をコンクリート内に挿入することにある。
【００２１】
請求項８に記載の発明の特徴は、請求項６又は７の構成に加え、コンクリート構造物に関する設計データに基づいて生成した前記設計データ拡張現実画像を前記ヘッドマウントディスプレイに投影し、前記バイブレータ本体の拡張現実画像とともに前記実際の光景に合成した合成画像を生成し、該合成画像に基づき前記バイブレータ本体をコンクリート内に挿入するにある。
【発明の効果】
【００２２】
本発明に係るコンクリート締固め作業用視覚補助装置は、請求項１の構成を具備することによって、本来見ることができないコンクリートに挿入されたバイブレータの状態を視覚的且つ定量的に把握することができる。
【００２３】
また、本発明において、請求項２の構成を具備することによって、透過型ディスプレイを通して実際の視野を確保することができ、作業員の目を保護する保護具としても使用することができる。
【００２４】
さらに、本発明において、請求項３の構成を具備することによって、一定の範囲内でコンクリートの打設作業、締固め作業、均し作業等の作業が複数の作業員によって同時進行で行われている騒然とした作業現場であっても締固め時間を正確に把握することができる。
【００２５】
また、本発明において、請求項４の構成を具備することによって、既に締固めを終えた位置を視覚的に把握することができ、その位置を基準として所定の間隔でバイブレータをコンクリートに挿入することができる。
【００２６】
さらに、本発明において、請求項５の構成を具備することによって、実際に見ることができない埋設物等の位置を視覚的に捉えることができ、バイブレータと鉄筋や型枠等との接触を回避することができる。
【００２７】
本発明に係る締固め方法は、請求項６の構成を具備することによって、バイブレータの状態を視覚的且つ定量的に把握した状態で締固め作業を行うことができ、作業効率の向上及びコンクリートの品質向上を図ることができる。
【００２８】
また、本発明において、請求項７の構成を具備することによって、既に締固めを終えた位置を視覚的に把握することができ、その位置を基準として所定の間隔でバイブレータをコンクリートに挿入することができる。
【００２９】
さらに、本発明において、請求項７の構成を具備することによって、実際に見ることができない埋設物等の位置を視覚的に捉えることができ、バイブレータと鉄筋や型枠等との接触を回避し、安全に作業を行うことができる。
【図面の簡単な説明】
【００３０】
【図１】本発明に係るコンクリート締固め作業用視覚補助装置を使用した締固め方法の概要を示す側面図である。
【図２】(a)は図1中のヘッドマウントディスプレイの使用態様を示す正面図、（ｂ）は同側面図である。
【図３】ヘッドマウントディスプレイを通した作業員の視野を示す概略図であって、（ａ）は実際の光景を示す図、（ｂ）は同拡張現実画像を投影した状態を示す図、（ｃ）は同鉄筋等の設計データ拡張現実画像を投影した状態を示す図である。
【発明を実施するための形態】
【００３１】
次に、本発明に係るコンクリート締固め作業用視覚補助装置の実施態様を図１〜図３に示した実施例に基づいて説明する。尚、図中符号１はバイブレータ、符号２はコンクリート締固め作業用視覚補助装置（以下、視覚補助装置という）である。
【００３２】
バイブレータ１は、図１に示すように、振動体を有するバイブレータ本体３と、バイブレータ本体３の上端に接続された動力伝達ホース４と、動力伝達ホース４を通してバイブレータ本体３に動力を供給する動力源５とを備え、型枠６上の作業員７によってバイブレータ本体３が型枠６内のコンクリート８に挿入され、バイブレータ本体３の振動によってコンクリート８を締め固めるようになっている。
【００３３】
また、締固め作業において、作業員７は、視覚補助装置２を使用することにより、締固め作業に関する状況を視覚的及び定量的に把握することができるようになっている。
【００３４】
視覚補助装置２は、バイブレータ本体３の位置を検出するバイブレータ位置検出手段１０と、作業員７が着用するヘッドマウントディスプレイ１１と、ヘッドマウントディスプレイ１１の位置を検出するディスプレイ位置検出手段１２と、バイブレータ本体３の拡張現実画像Ｇ１を生成し、ヘッドマウントディスプレイ１１に投影する画像処理手段（図示せず）とを備え、ヘッドマウントディスプレイ１１を通して視認した実際の光景にバイブレータ本体３の拡張現実画像Ｇ１が合成されるようにしている。
【００３５】
ヘッドマウントディスプレイ１１は、図２に示すように、装着バンド１３によって作業員７の顔面に装着されるフレーム１４と、フレーム１４に保持されたディスプレイ本体１５とを備え、バイブレータ１を操作する作業員７にディスプレイ本体１５を通してバイブレータ１の情報が提供されるようになっている。
【００３６】
また、ヘッドマウントディスプレイ１１には、ヘッドマウントディスプレイ１１の位置を検出するディスプレイ位置検出手段１２と、画像処理手段等を含む演算部（図示せず）とが内蔵され、バイブレータ位置検出手段１０及びディスプレイ位置検出手段１２によって検出された各位置情報が随時演算部に送信され、バイブレータ本体３の位置情報及びヘッドマウントディスプレイ１１の位置情報に基づいてバイブレータ本体３の拡張現実画像Ｇ１を生成し、ディスプレイ本体１５に投影できるようになっている。
【００３７】
ディスプレイ本体１５は、透過型ディスプレイによって構成され、ヘッドマウントディスプレイ１１を通して実際の状況を視認できるようになっており、作業員の目を保護する保護具としても機能するようになっている。
【００３８】
バイブレータ位置検出手段１０は、例えば、バイブレータ本体３内に内蔵されたＧＰＳユニット等によって構成され、バイブレータ本体３の位置を精密に検知することができるようになっている。
【００３９】
また、バイブレータ本体３には、挿入検出手段として複数の圧力センサ１６，１６…を備え、各圧力センサ１６，１６…がコンクリート８より受ける圧力を検知すると演算部に信号が送信され、バイブレータ本体３がコンクリート８に挿入されたことを検出する。
【００４０】
また、各圧力センサ１６，１６…は、バイブレータ本体３の軸方向に間隔をおいて配置されており、深度計測手段を兼用し、どの圧力センサ１６，１６…が圧力を検知するかによってバイブレータ本体３のコンクリート８に対する挿入深さを検出するようになっている。
【００４１】
演算部は、バイブレータ本体３の位置情報及びヘッドマウントディスプレイ１１の位置情報に基づいてバイブレータ本体３の拡張現実画像Ｇ１を生成する画像処理手段と、バイブレータ本体３がコンクリート８内に挿入されている時間を計測する締固め時間計測手段と、バイブレータ位置検出手段１０で検出されたバイブレータ本体３の位置情報を記憶する記憶手段とを備え、画像処理手段によってバイブレータ本体３の拡張現実画像Ｇ１、締固め時間表示画像Ｇ２及びバイブレータ本体３の既視仮想現実画像Ｇ３等が生成され、ディスプレイ本体１５に投影されるようになっている。
【００４２】
また、画像処理手段は、コンクリート８中に埋設される鉄筋等の設計データを取得する設計データ取得部を備えており、図３（ｃ）に示すように、ヘッドマウントディスプレイ１１の位置情報と鉄筋や型枠等の設計データに基づき設計データ拡張現実画像Ｇ４，Ｇ４…を生成し、バイブレータ本体３の拡張現実画像Ｇ１とともにディスプレイ本体１５に投影できるようになっている。
【００４３】
また、画像処理手段は、打設済みの下層コンクリート上面８ａの設計データに基づいて既設の下層コンクリート上面８ａの設計データ拡張現実画像Ｇ５を生成し、バイブレータ本体３の拡張現実画像Ｇ１とともにディスプレイ本体１５に投影できるようになっている。
【００４４】
バイブレータ本体３の拡張現実画像Ｇ１は、バイブレータ本体３の形状データに基づいてコンクリート８内に挿入された部分の画像を生成し、それをバイブレータ本体３とヘッドマウントディスプレイ１１との相対位置関係に基づいて実際のバイブレータ本体３の位置に合わせて投影される。
【００４５】
このバイブレータ本体３の拡張現実画像Ｇ１は、随時更新され、バイブレータ本体３の移動やその他の動作に連動してディスプレイ本体１５に投影される。
【００４６】
また、バイブレータの拡張現実画像Ｇ１のデータは、バイブレータ位置検出手段１０で検出されたバイブレータ本体３の位置情報とともに記憶手段に記憶され、画像処理手段は、記憶手段に記憶されたバイブレータ本体３の位置情報に基づいて既に作業を終えた位置におけるバイブレータ本体３の既視仮想現実画像Ｇ３を生成し、バイブレータ本体３の既視仮想現実画像Ｇ３をバイブレータ本体３の拡張現実画像Ｇ１とともにディスプレイ本体１５に表示できるようになっている。
【００４７】
締固め時間表示画像Ｇ２は、例えば、ディスプレイ本体１５の隅部にインジケータ状に表示される。
【００４８】
この締固め時間表示画像Ｇ２は、挿入検出手段を担う複数の圧力センサ１６，１６…が圧力を検知すると、締固め時間計測手段が計測を開始し、この計測データと連動してインジケータのゲージｇが増加するようになっている。そして、所定の締固め時間（約１０〜１５秒）が経過するとゲージｇが満ちるようになっている。
【００４９】
また、画像処理手段は、図３（ｂ）（ｃ）に示すように、バイブレータ本体３と平行な方向と水平方向とに向けた各目盛り画像Ｇ６，Ｇ７を生成し、目盛り画像Ｇ６，Ｇ７をディスプレイ本体１５に投影するようになっている。
【００５０】
次に、この視覚補助装置２を使用したコンクリートの締固め方法について説明する。
【００５１】
コンクリート８は、型枠６内に一定の高さ毎に順次打設し、各層のコンクリート８を打設する毎にバイブレータ本体３をコンクリート８内に挿入し、締め固めるようになっている。
【００５２】
バイブレータ１による締固めは、水平方向に所定の間隔を置いた複数個所にて行い、各位置においてバイブレータ本体３を挿入し、所定の時間コンクリート８に振動を与えた後、バイブレータ本体３を引き抜いて他の位置に移動する作業を繰り返す。
【００５３】
このようなコンクリート８の締固め方法において、先ず、バイブレータ１の動力源５を動作させ、バイブレータ本体３の振動体を振動させるとともに、視覚補助装置２を動作させる。
【００５４】
作業員７が着用したヘッドマウントディスプレイ１１の演算部には、バイブレータ本体３の位置情報及びヘッドマウントディスプレイ１１の位置情報が随時送信され、画像処理手段は、バイブレータ本体３の位置情報及びヘッドマウントディスプレイ１１の位置情報に基づいてバイブレータ本体３の拡張現実画像Ｇ１を生成する。
【００５５】
このバイブレータ本体３の拡張現実画像Ｇ１は、図３(ａ)に示すヘッドマウントディスプレイ１１を通して視認した実際の光景に合成され、図３（ｂ）に示すような合成画像が生成される。
【００５６】
そして、作業員７は、この合成画像を視認しながらバイブレータ本体３をコンクリート８内に挿入することで、本来不可視なコンクリート８内のバイブレータ本体３の状況を視覚的に把握しながら挿入することができる。
【００５７】
その際、バイブレータ本体３は、図１に示すように、コンクリートの一体化を確実にするために、下端が下層上面８ａから一定深さ（例えば、各層５０ｃｍ厚に打設する場合、下層上面から１０ｃｍ程度）に至るまで挿入する。
【００５８】
この場合、拡張現実画像Ｇ１を含む合成画像とともに目盛り画像Ｇ６，Ｇ７を確認しながら挿入することによって、バイブレータ本体３が所定の深さに到達したことを視覚的且つ定量的に把握することができる。
【００５９】
また、この位置における拡張現実画像Ｇ１は、演算部の記憶手段にバイブレータ本体３の位置情報とともに随時記憶される。
【００６０】
また、型枠６内に鉄筋等が配置されている場合には、図３（ｃ）に示すように、設計データ拡張現実画像Ｇ４，Ｇ４…をヘッドマウントディスプレイ１１に投影し、バイブレータ本体３の拡張現実画像Ｇ１とともに実際の光景に合成した合成画像を生成すすることによって、合成画像を確認することで鉄筋等とバイブレータ本体３との接触を回避しつつバイブレータ本体３をコンクリート８内に挿入することができる。
【００６１】
一方、画像処理手段は、複数の圧力センサ１６，１６…からなる挿入検出手段によってバイブレータ本体３がコンクリート８内に挿入されたことを検知すると、締固め時間計測手段が計測を開始し、この計測データと連動して締固め時間表示画像Ｇ２（インジケータ）のゲージｇを増加させる。
【００６２】
そして、締固め時間表示画像Ｇ２のゲージｇが満ちるまでの間、バイブレータ本体３を所定の位置に保持し、振動させることによって、所定時間の締固めが完了する。
【００６３】
締固めが完了、即ち、締固め時間表示画像Ｇ２のゲージｇが満ちたならば、作業員７は、バイブレータ本体３をコンクリート８内より引き抜き、次の位置に移動させバイブレータ本体３の挿入及び締固め作業を行う。
【００６４】
その際、画像処理手段は、記憶手段に記憶されたバイブレータ本体３の位置情報に基づいて既に作業を終えた位置におけるバイブレータ本体３の既視仮想現実画像Ｇ３を生成し、バイブレータ本体３の既視仮想現実画像Ｇ３をバイブレータ本体３の拡張現実画像Ｇ１とともにディスプレイ本体１５に表示する。
【００６５】
よって、作業員７は、バイブレータ本体３を新たに挿入する位置を既視仮想現実画像Ｇ３及び目盛り画像Ｇ６，Ｇ７を基準として客観的に捉えることができ、所望の間隔で挿入することができる。
【００６６】
このように構成された視覚補助装置２及びそれを使用した締固め方法では、本来見ることができないコンクリート８内のバイブレータ本体３の状況を視覚的に捉えることができることによって、正確且つ効率よく締固め作業を行うことができる。
【００６７】
また、視覚補助装置２及びそれを使用した締固め方法は、一定の範囲内でコンクリートの打設作業、締固め作業、均し作業等の作業が複数の作業員によって同時進行で行われている騒然とした作業現場において、締固め作業を行う作業員７がヘッドマウントディスプレイ１１を通して、締固め時間、バイブレータ本体３の挿入位置及び深さ等の情報を集約して得ることができる。
【００６８】
尚、上述の実施例では、ゴーグル型のヘッドマウントディスプレイ１１を使用した例について説明したが、その態様は上述の実施例に限定されず、例えば、眼鏡型であってもよい。
【００６９】
また、上述の実施例では、鉄筋等の設計データ拡張現実画像Ｇ４，Ｇ４…をディスプレイに投影する点について説明したが、ディスプレイに投影する設計データ拡張現実画像Ｇ４は特に限定されず、ＣＩＭによって管理された鉄筋、鉄骨、型枠、開口部、ＰＣ鋼材、その他の補強材等を反映させてもよい。
【符号の説明】
【００７０】
Ｇ１  バイブレータの拡張現実画像
Ｇ２  締固め時間表示画像
Ｇ３  バイブレータの既視仮想現実画像
Ｇ４  設計データ拡張現実画像
Ｇ５  コンクリート下層上面の拡張現実画像
Ｇ６、Ｇ７  目盛り画像
１  バイブレータ
２  コンクリート締固め作業用視覚補助装置
３  バイブレータ本体
４  動力伝達ホース
５  動力源
６  型枠
７  作業員
８  コンクリート
１０  バイブレータ位置検出手段
１１  ヘッドマウントディスプレイ
１２  ディスプレイ位置検出手段
１３  装着バンド
１４  フレーム
１５  ディスプレイ本体
１６  圧力センサ
【図１】
2019035265.tif 000003
【図２】
2019035265.tif 000004
【図３】
2019035265.tif 000005